(57)【要約】【課題】携帯式デジタル音楽プレーヤーの使用を更に便利にすること。【解決手段】携帯型デジタル音楽プレーヤーの周波数変調システムを提供し、第一連接部を有するＦＭトランスミッターを有し、第一連接部は携帯式デジタル音楽プレーヤー上の第二連接部と連接する。イヤフォンから延伸したケーブルとＦＭ受信器が連接し、ＦＭトランスミッターは信号をＦＭ受信器に伝送し、ＦＭ受信器はケーブルにより、信号をイヤフォン中から再生する。【選択図】図１
0003138814.tif 000002
【実用新案登録請求の範囲】
【請求項１】
携帯型デジタル音楽プレーヤーの周波数変調システムであって、
第一連接部を有するＦＭトランスミッターと、
イヤフォンと、からなり、
前記イヤフォンから延伸したケーブルとＦＭ受信器が連接し、前記ＦＭトランスミッターは信号を前記ＦＭ受信器に伝送し、前記ＦＭ受信器は前記ケーブルにより、信号を前記イヤフォン中から再生することを特徴とする、
携帯型デジタル音楽プレーヤーの周波数変調システム。
【請求項２】
更に、携帯型デジタル音楽プレーヤー本体を有し、前記携帯型デジタル音楽プレーヤー本体は、第二連接部を有し、前記第一連接部は前記第二連接部と連接し、前記携帯型デジタル音楽プレーヤー本体が伝送する信号は、前記ＦＭトランスミッターにより前記ＦＭ受信器に伝送され、前記イヤフォンにより再生されることを特徴とする、請求項１に記載の携帯型デジタル音楽プレーヤーの周波数変調システム。
【請求項３】
前記第一連接部はＵＳＢジョイント、立体音声ミニジョイントであることを特徴とする、請求項１に記載の携帯型デジタル音楽プレーヤーの周波数変調システム。
【請求項４】
前記ＦＭトランスミッター、及び、前記ＦＭ受信器の周波数応用範囲は、８７．９ＭＨｚ〜１０７．９ＭＨｚであることを特徴とする、請求項１に記載の携帯型デジタル音楽プレーヤーの周波数変調システム。
【請求項５】
前記ＦＭトランスミッターは、前記携帯型デジタル音楽プレーヤー本体の電源を共用することを特徴とする、請求項１に記載の携帯型デジタル音楽プレーヤーの周波数変調システム。
【請求項６】
前記ＦＭトランスミッター、或いは、前記ＦＭ受信器内に電池領域を有し、電池により電源を前記ＦＭトランスミッター、或いは、前記ＦＭ受信器に提供することを特徴とする、請求項１に記載の携帯型デジタル音楽プレーヤーの周波数変調システム。
【請求項７】
前記電池は、乾電池、水銀電池、アルカリ電池、鉛酸蓄電池、ニッケルカドミウム電池、ニッケル水素電池、リチウムイオン電池、或いは、高分子リチウム電池の何れかであることを特徴とする、請求項１に記載の携帯型デジタル音楽プレーヤーの周波数変調システム。
【考案の詳細な説明】
【技術分野】
【０００１】
本考案は、携帯用デジタル音楽プレーヤーに関するものであって、特に、周波数変調システムにより信号を伝送する携帯用デジタル音楽プレーヤーの周波数変調システムに関するものである。
【背景技術】
【０００２】
携帯用音楽プレーヤーの本体は、カセット式（テープ）携帯用音楽プレーヤーからコンパクトディスク（ＣＤ）プレーヤーに変化し、８０年代、ＣＤプレーヤーは全世界で流行した。
ＣＤプレーヤーのサイズは大きく、書き換え不能で、音源を自主的に選択できないので、携帯用音楽プレーヤーの創始メーカーであるソニー（ＳＯＮＹ）は、更に携帯に適する音声周波数技術の研究に着手し、ＭＤプレーヤーが誕生した。その後、ソニーはＭＤの研究開発を継続し、ＭＤプレーヤーは長時間の再生、録音、数種の録音模式が可能になった。
また、ＵＳＢコネクタにより、ＭＤプレーヤーは、コンピュータからＭＤフォーマットの音楽をダウンロードできるようになった。しかし、ＭＰ３が出現し、ＭＰ３は保存容量がＭＤより大きく、また、直接録音功能を装備し、コンピュータを使用しなくても録音できるので、大衆は、ＭＰ３はＭＤより便利であると感じるようになった。
【０００３】
現在、流行しているデジタル音楽プレーヤーはＭＰ３プレーヤーである。科学技術の進歩に従い、ＭＰ３は携帯電話同様、現在音楽を聴く主要道具となり、特に、現在流行しているＩＰｏｄ（登録商標）は、随時、どこでもラジオが聴け、映画も見ることが出来る。
【０００４】
１９７９年、ソニーは音響上に連接する大型イヤフォンを携帯音楽プレーヤーに適するように軽量型のイヤフォンに改良し、現在まで、音楽プレーヤーとイヤフォン間の信号の伝送は、有線ケーブルにより二者を連接して信号通信を実行している。公知技術のイヤフォンは、イヤフォンのケーブルにより携帯音楽プレーヤーと連接し、その他の方式が見当たらない。
【考案の開示】
【考案が解決しようとする課題】
【０００５】
本考案は、携帯型デジタル音楽プレーヤーの周波数変調システムを提供し、もう一種の携帯式デジタル音楽プレーヤーの使用形態を提供し、携帯式デジタル音楽プレーヤーの使用を更に便利にすることを目的とする。
【課題を解決するための手段】
【０００６】
本考案は、携帯型デジタル音楽プレーヤーの周波数変調システムを提供し、第一連接部を有するＦＭトランスミッターを有し、第一連接部は携帯式デジタル音楽プレーヤー上の第二連接部と連接する。イヤフォンから延伸したケーブルとＦＭ受信器が連接し、ＦＭトランスミッターは信号をＦＭ受信器に伝送し、ＦＭ受信器はケーブルにより、信号をイヤフォン中から再生する。
【考案の効果】
【０００７】
本考案の携帯型デジタル音楽プレーヤーの周波数変調システムにより、携帯式デジタル音楽プレーヤーの使用上の便利性を向上させ、公知技術の使用方式と異なり、本考案は、もう一種の携帯式デジタル音楽プレーヤーの選択機会を提供する。
【考案を実施するための最良の形態】
【０００８】
本考案が応用する携帯式デジタル音楽プレーヤー１２は、ＭＰ３ドキュメント、フラッシュメモリ、音楽プレーヤーの三つを合体したＭＰ３プレーヤーか、或いは、システム、ビデオ、オーディオ、コンピュータ合成データを結合したＭＰ４プレーヤーである。本考案の精神は、携帯式デジタル音楽プレーヤー１２上において、周波数変調システムにより信号を伝送し、イヤフォン２４により音楽を再生する。
【０００９】
本考案を更に詳細に説明するため、図１と図２を参照すると、本考案の携帯式デジタル音楽プレーヤー１２の周波数変調システムは、ＦＭトランスミッター１６からなる。
ＦＭトランスミッター１６は携帯式デジタル音楽プレーヤー１２本体の電源を共用する。
或いは、ＦＭトランスミッター１６内に電池領域を設置して、電池により電源をＦＭトランスミッター１６に提供する。
電池は、乾電池、水銀電池、アルカリ電池、鉛酸蓄電池、ニッケルカドミウム電池、ニッケル水素電池、リチウムイオン電池、或いは、高分子リチウム電池のどれかである。
ＦＭトランスミッター１６上に第一連接部１８を有する。
第一連接部１８は携帯式デジタル音楽プレーヤー１２本体上の第二連接部１４と対応し、第一連接部１８はＵＳＢコネクタ、或いは、立体音声ミニジョイントで、第二連接部１４はＵＳＢスロット、或いは、立体音声ミニスロットである。
【００１０】
少なくとも一つのイヤフォン２４から外に延伸するケーブル２２は、ＦＭ受信器２０と連接する。
イヤフォン２４はケーブル２２上に信号端子２６を設置し、ＦＭ受信器２０のスロット２８と連接することができる。
携帯式デジタル音楽プレーヤー１２本体が伝送する信号は、ＦＭトランスミッター１６によりＦＭ受信器２０に伝送され、ＦＭ受信器２０は信号を受信した後、ケーブル２２により信号をイヤフォン２４中で再生する。
ＦＭトランスミッター１６、及び、ＦＭ受信器２０の周波数応用範囲は８７．９ＭＨｚ〜１０７．９ＭＨｚである。
ＦＭ受信器２０内に電池領域を有し、電池により電源をＦＭ受信器２０に提供する。電池は、乾電池、水銀電池、アルカリ電池、鉛酸蓄電池、ニッケルカドミウム電池、ニッケル水素電池、リチウムイオン電池、或いは、高分子リチウム電池のどれかである。
【００１１】
本考案の実施時、携帯式デジタル音楽プレーヤー１２とＦＭトランスミッター１６を連接後、携帯式デジタル音楽プレーヤー１２を使用者のポケットや鞄に入れて使用し、また、ＦＭ受信器２０上に結合部を設け、例えば、この結合部はピンで、ピンにより、ＦＭ受信器２０を衣服の上に留めつけ、これらの結合部の変化や修飾は本考案の請求項に含まれる。
【００１２】
本考案は、周波数変調システムを利用し、使用者が携帯式デジタル音楽プレーヤー１２を使用する便利性を向上し、この変化は公知技術のイヤフォン２４、ケーブル２２により直接携帯式デジタル音楽プレーヤー１２と連接する方式とは異なり、本考案は、使用者にもう一種の携帯式デジタル音楽プレーヤー１２の選択の機会を提供する。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の実施例の正面図である。
【図２】本考案の実施例の立体図である。
【図３】本考案のもう一つの実施例図である。
【符号の説明】
【００１５】
１２  携帯式デジタル音楽プレーヤー
１４  第二連接部
１６  ＦＭトランスミッター
１８  第一連接部
２０  ＦＭ受信器
２２  ケーブル
２４  イヤフォン
２６  信号端子
２８  スロット
【図１】
0003138814.tif 000003
【図２】
0003138814.tif 000004
【図３】
0003138814.tif 000005
【手続補正書】
【提出日】平成19年10月22日(2007.10.22)
【手続補正１】
【補正対象書類名】図面
【補正対象項目名】図１
【補正方法】変更
【補正の内容】
【図１】
0003138814.tif 000006
【手続補正２】
【補正対象書類名】図面
【補正対象項目名】図２
【補正方法】変更
【補正の内容】
【図２】
0003138814.tif 000007
【手続補正３】
【補正対象書類名】図面
【補正対象項目名】図３
【補正方法】変更
【補正の内容】
【図３】
0003138814.tif 000008